(57)【要約】【課題】コンロ外の情報処理端末を利用してユーザの音声指示を認識することができ、且つ、その情報処理端末を利用してガスコンロに関する有用な情報をユーザに報知することができる構成を実現する。【解決手段】ガスコンロシステム１００は、ガスコンロ１及び情報処理端末９０を有する。ガスコンロ１は、所定の情報送信条件が成立した場合に、ガスコンロ１の状態を示す情報、又は使用者に対する所定の確認情報、の少なくともいずれかに対応する端末宛情報を情報処理端末９０に無線送信するコンロ側無線送信部を有する。情報処理端末９０は、無線送信された端末宛情報を受信する端末側無線受信部と、端末側無線受信部が端末宛情報を受信した場合に、ガスコンロ１の状態を示す情報又は所定の確認情報の少なくともいずれかを、表示又は音声の少なくともいずれかによって報知する報知部と、を有する。【選択図】図１
2020041721.tif 000002
【特許請求の範囲】
【請求項１】
外部から無線送信された指示データに応じて動作を行うガスコンロと、
前記指示データを無線送信可能な情報処理端末と、
を有し、
前記情報処理端末は、
音声指示を検出する音声指示検出部と、
前記音声指示検出部で検出された前記音声指示に応じた前記指示データを無線送信する端末側無線送信部と、
を有し、
前記ガスコンロは、
制御対象となる電気部品と、
前記端末側無線送信部から無線送信された前記指示データを受信するコンロ側無線受信部と、
前記コンロ側無線受信部が前記指示データを受信した場合に、前記指示データに応じて前記電気部品の動作を制御する動作制御部と、
所定の情報送信条件が成立した場合に、前記ガスコンロの状態を示す情報、又は使用者に対する所定の確認情報、の少なくともいずれかに対応する端末宛情報を、前記情報処理端末に無線送信するコンロ側無線送信部と、
を有し、
前記情報処理端末は、
前記コンロ側無線送信部から無線送信された前記端末宛情報を受信する端末側無線受信部と、
前記端末側無線受信部が前記端末宛情報を受信した場合に、前記ガスコンロの状態を示す情報又は前記所定の確認情報の少なくともいずれかを、表示又は音声の少なくともいずれかによって報知する報知部と、
を有するガスコンロシステム。
【請求項２】
前記報知部は、
表示部と、
前記表示部の表示を制御する表示制御部と、
を備え、
前記表示制御部は、所定の表示条件の成立に応じて、音声認識対象の言葉として予め定められた複数種類の候補語を前記表示部に表示し、
前記音声指示検出部は、前記表示部に表示された複数の前記候補語のうち、いずれかの前記候補語を前記音声指示として検出し、
前記端末側無線送信部は、いずれかの前記候補語が前記音声指示検出部で検出された場合に、前記音声指示検出部で検出された前記候補語に対応する前記指示データを無線送信する
請求項１に記載のガスコンロシステム。
【請求項３】
前記表示制御部は、前記所定の表示条件の成立に応じて複数種類の前記候補語を前記表示部に表示する場合、表示時点で選択可能な前記候補語を他の文字と異なる態様で表示する請求項２に記載のガスコンロシステム。
【請求項４】
前記表示制御部は、いずれかの前記候補語が前記音声指示検出部で検出された場合に、前記音声指示検出部で検出された前記候補語を他の候補語と区別して示す候補語特定画像を前記表示部に表示する
請求項２又は請求項３に記載のガスコンロシステム。
【請求項５】
前記報知部は、
表示部と、
前記表示部の表示を制御する表示制御部と、
を備え、
前記コンロ側無線送信部は、前記所定の情報送信条件が成立した場合に、前記ガスコンロの状態情報を含む前記端末宛情報を前記情報処理端末に無線送信し、
前記表示制御部は、前記端末側無線受信部が前記状態情報を含む前記端末宛情報を受信した場合に、前記状態情報によって特定される前記ガスコンロの状態の画像を前記表示部に表示する
請求項１から請求項４のいずれか一項に記載のガスコンロシステム。
【請求項６】
前記状態情報は、使用されているガスバーナの位置、又は使用されているガスバーナの火力、の少なくともいずれかを示す情報を含み、
前記表示制御部は、前記端末側無線受信部が前記状態情報を含む前記端末宛情報を受信した場合に、使用されているガスバーナの位置、又は使用されているガスバーナの火力、の少なくともいずれかを特定する画像を前記表示部に表示する
請求項５に記載のガスコンロシステム。
【請求項７】
前記コンロ側無線送信部は、前記ガスコンロにおけるいずれかのガスバーナが点火中のガスバーナである場合において当該点火中のガスバーナの消火動作を行う前に前記端末宛情報を前記情報処理端末に無線送信し、
前記報知部は、前記端末側無線受信部が前記端末宛情報を受信した場合に、前記点火中のガスバーナの点火延長を問い合わせる情報を前記所定の確認情報として報知し、
前記端末側無線送信部は、前記点火延長を問い合わせる情報を前記報知部が報知した後、前記音声指示検出部が音声による所定の延長指示を検出した場合に、前記所定の延長指示に対応する前記指示データを無線送信し、
前記動作制御部は、前記コンロ側無線受信部が前記所定の延長指示に対応する前記指示データを受信した場合に、前記点火中のガスバーナの点火を延長する
請求項１から請求項６のいずれか一項に記載のガスコンロシステム。
【請求項８】
前記コンロ側無線送信部は、前記コンロ側無線受信部が受信した前記指示データが、いずれかの前記電気部品を変更対象として所定の変更動作を指示するデータである場合に、前記端末宛情報を前記情報処理端末に無線送信し、
前記報知部は、前記端末側無線受信部が前記端末宛情報を受信した場合に、前記所定の確認情報として前記所定の変更動作を実行するか否かを問い合わせる情報を報知し、
前記端末側無線送信部は、前記所定の変更動作を実行するか否かを問い合わせる情報を前記報知部が報知した後、前記音声指示検出部が音声による所定の変更指示を検出した場合に、前記所定の変更指示に対応する前記指示データを無線送信し、
前記動作制御部は、前記コンロ側無線受信部が前記所定の変更指示に対応する前記指示データを受信した場合に、前記変更対象に前記所定の変更動作を行わせる
請求項１から請求項６のいずれか一項に記載のガスコンロシステム。
【請求項９】
前記動作制御部は、前記コンロ側無線受信部が受信した前記指示データが、いずれかの前記電気部品を変更対象として所定の変更動作を指示するデータである場合に、前記変更対象に前記所定の変更動作を行わせ、
前記コンロ側無線送信部は、前記動作制御部が前記変更対象に前記所定の変更動作を行わせる場合において前記所定の変更動作の開始前又は開始後に前記端末宛情報を前記情報処理端末に無線送信し、
前記報知部は、前記端末側無線受信部が前記端末宛情報を受信した場合に、前記所定の変更動作が正しいか否かを問い合わせる情報又は前記所定の変更動作がなされたことを伝える情報の少なくともいずれかを前記所定の確認情報として所定の終了条件が成立するまで繰り返し報知し、
前記所定の終了条件は、前記音声指示検出部が音声による所定の返答を検出することである
請求項１から請求項６のいずれか一項に記載のガスコンロシステム。
【発明の詳細な説明】
【技術分野】
【０００１】
本発明は、ガスコンロシステムに関する。
【背景技術】
【０００２】
特許文献１で開示される音信号制御式コンロは、制御ユニットに音信号制御ユニットが付設された構成をなす。音信号制御ユニットは、加熱器の所定の作動に対応した少なくとも１個の制御用音信号を格納したメモリと、音信号入力部と、入力された音信号を認識する音信号認識部と、認識した音信号をメモリ内の制御用音信号と照合する音信号照合部とを備えた構成をなす。この音信号制御式コンロは、音が入力された時、音信号照合部での照合で音信号認識部が認識した音信号と格納された音信号とが一致した時、その音信号に対応して制御ユニットがバーナの作動を制御する。
【先行技術文献】
【特許文献】
【０００３】
【特許文献１】特許第４３１３４９５号公報
【発明の概要】
【発明が解決しようとする課題】
【０００４】
特許文献１で開示されるコンロは、使用者の音声命令を認識し、それに従った制御を行い得るものであるため、例えば他の作業中で手が離せない場合や、手が汚れていて操作しづらい場合等に有効である。しかし、特許文献１の技術は、使用者の音声を検出するための機能やコンロ内に設けており、コンロ外の端末を利用して音声認識を行えないシステムである。
【０００５】
本発明は上述した課題の少なくとも一つを解決するためになされたものであり、コンロ外の情報処理端末を利用してユーザの音声指示を認識することができ、且つ、その情報処理端末を利用してガスコンロに関する有用な情報をユーザに報知することができる構成を実現することを目的とする。
【課題を解決するための手段】
【０００６】
本発明の一つであるガスコンロシステムは、
外部から無線送信された指示データに応じて動作を行うガスコンロと、
前記指示データを無線送信可能な情報処理端末と、
を有し、
前記情報処理端末は、
音声指示を検出する音声指示検出部と、
前記音声指示検出部で検出された前記指示に応じた前記指示データを無線送信する端末側無線送信部と、
を有し、
前記ガスコンロは、
制御対象となる電気部品と、
前記端末側無線送信部から無線送信された前記指示データを受信するコンロ側無線受信部と、
前記コンロ側無線受信部が前記指示データを受信した場合に、前記指示データに応じて前記電気部品の動作を制御する動作制御部と、
所定の情報送信条件が成立した場合に、前記ガスコンロの状態を示す情報、又は使用者に対する所定の確認情報、の少なくともいずれかに対応する端末宛情報を、前記情報処理端末に無線送信するコンロ側無線送信部と、
を有し、
前記情報処理端末は、
前記コンロ側無線送信部から無線送信された前記端末宛情報を受信する端末側無線受信部と、
前記端末側無線受信部が前記端末宛情報を受信した場合に、前記ガスコンロの状態を示す情報又は前記所定の確認情報の少なくともいずれかを、表示又は音声の少なくともいずれかによって報知する報知部と、
を有する。
【発明の効果】
【０００７】
上記ガスコンロシステムは、情報処理端末が音声による指示を検出し、その音声指示に応じた指示データを情報処理端末からガスコンロに無線通信によって与えることができる。よって、音声認識のための装置をガスコンロ内に設けることを必須とすることなく、音声によってガスコンロを操作し得るシステムを実現できる。しかも、所定の情報送信条件が成立した場合には、ガスコンロから情報処理端末に対して、ガスコンロの状態を示す情報又は使用者に対する所定の確認情報の少なくともいずれかに対応する端末宛情報を無線送信することができる。そして、情報処理端末は、この端末宛情報を受信した場合に、ガスコンロの状態を示す情報又は所定の確認情報の少なくともいずれかを、表示又は音声の少なくともいずれかによって報知することができる。よって、情報処理端末の機能を利用してガスコンロに関する有用な情報をユーザに報知することができ、ガスコンロを顕著に高機能化せずともユーザの利便性を格段に高めることができる。
【図面の簡単な説明】
【０００８】
【図１】実施例１のガスコンロシステムを概略的に例示する斜視図である。
【図２】実施例１のガスコンロシステムにおけるガスコンロでの各ガスバーナへのガス供給路等を概念的に示す説明図である。
【図３】実施例１のガスコンロシステムの電気的構成について、主にガスコンロの電気的構成を具体的に例示するブロック図である。
【図４】実施例１のガスコンロシステムの電気的構成について、主に情報処理端末の電気的構成を具体的に例示するブロック図である。
【図５】実施例１のガスコンロシステムの情報処理端末で実行される音声対応制御の流れを例示するフローチャートである。
【図６】図５の音声対応制御における対応処理（例えばコンロ右対応処理）の流れを例示するフローチャートである。
【図７】図６の対応処理における便利機能対応処理の流れを例示するフローチャートである。
【図８】実施例１のガスコンロシステムの情報処理端末で実行される音声対応制御の概要を説明する説明図である。
【図９】音声対応制御中の第１選択肢等の表示状態を例示する説明図である。
【図１０】図９で表示される第１選択肢のうちのコンロ右が選択されたときの第２選択肢等の表示状態を例示する説明図である。
【図１１】図１０で表示される第２選択肢のうちの便利機能が選択されたときの第３選択肢等の表示状態を例示する説明図である。
【図１２】便利機能として煮ものが選択された後に図５において第１選択肢が表示される場合の表示例を示す説明図である。
【発明を実施するための形態】
【０００９】
本発明の好ましい形態を以下に例示する。但し、本発明は以下の例に限定されない。
ガスコンロシステムは、表示部と、表示部の表示を制御する表示制御部と、を備えていてもよい。表示制御部は、所定の表示条件の成立に応じて、音声認識対象の言葉として予め定められた複数種類の候補語を表示部に表示するように機能してもよい。音声指示検出部は、表示部に表示された複数の候補語のうち、いずれかの候補語を音声指示として検出するように機能してもよい。端末側無線送信部は、いずれかの候補語が音声指示検出部で検出された場合に、音声指示検出部で検出された候補語に対応する指示データを無線送信するように機能してもよい。
このようにすれば、ユーザは表示部に表示された複数種類の候補語を見た上で、候補語を選んで言葉として発することができる。表示部に表示される候補語は、音声認識対象の言葉として予め定められたものであるため、音声認識対象の言葉がどのような言葉であるかユーザが思い出しながら発したり、推測して発したりする事態が生じにくくなり、ユーザは、表示部に表示されたいずれかの候補語を選んで言えば、音声認識対象の言葉が音声として正確に認識されやすくなる。
【００１０】
表示制御部は、所定の表示条件の成立に応じて複数種類の候補語を表示部に表示する場合、表示時点で選択可能な候補語を他の文字と異なる態様で表示してもよい。
このようにすれば、ユーザは、どのような言葉を音声によって選択できるのか視覚によって迅速に把握しやすくなる。
【００１１】
表示制御部は、いずれかの候補語が音声指示検出部で検出された場合に、音声指示検出部で検出された候補語を、他の候補語と区別して示す候補語特定画像を表示部に表示するように機能してもよい。
このようにすれば、ユーザが発声した候補語が検出された場合に、その候補語を他の候補語と区別して視覚的に伝えることができる。よって、ユーザは、自身が発声した音声が認識されたか否かをより確実に把握できるようになる。
【００１２】
報知部は、表示部と、表示部の表示を制御する表示制御部と、を備えていてもよい。コンロ側無線送信部は、所定の情報送信条件が成立した場合に、ガスコンロの状態情報を含む端末宛情報を情報処理端末に無線送信するように機能してもよい。表示制御部は、端末側無線受信部が状態情報を含む端末宛情報を受信した場合に、状態情報によって特定されるガスコンロの状態の画像を表示部に表示するように機能してもよい。
このようにすれば、ガスコンロの状態を状態情報によって情報処理端末側に伝え、ガスコンロの状態を情報処理端末に表示される画像によってユーザに視認させることができる。このようにすれば、ユーザは、ガスコンロ近傍でガスコンロを直接見るだけでなく、情報処理端末によってもガスコンロの状態を把握することができ、例えば、ガスコンロから離れた位置でガスコンロの状態を視覚的に認識することも可能となる。
【００１３】
状態情報は、使用されているガスバーナの位置、又は使用されているガスバーナの火力、の少なくともいずれかを示す情報を含んでいてもよい。表示制御部は、端末側無線受信部が状態情報を含む端末宛情報を受信した場合に、使用されているガスバーナの位置、又は使用されているガスバーナの火力、の少なくともいずれかを特定する画像を表示部に表示するように機能してもよい。
このようにすれば、使用されているガスバーナの位置、又は使用されているガスバーナの火力、などの有用な情報を、情報処理端末によってユーザに知らしめることができる。
【００１４】
コンロ側無線送信部は、ガスコンロにおけるいずれかのガスバーナが点火中のガスバーナである場合において当該点火中のガスバーナの消火動作を行う前に端末宛情報を情報処理端末に無線送信するように機能してもよく、報知部は、端末側無線受信部が端末宛情報を受信した場合に、点火中のガスバーナの点火延長を問い合わせる情報を所定の確認情報として報知するように機能してもよい。この場合、端末側無線送信部は、点火延長を問い合わせる情報を報知部が報知した後、音声指示検出部が音声による所定の延長指示を検出した場合に、所定の延長指示に対応する指示データを無線送信するように機能してもよく、動作制御部は、コンロ側無線受信部が所定の延長指示に対応する指示データを受信した場合に、点火中のガスバーナの点火を延長するように機能してもよい。
このようにすれば、ガスコンロにおいて消火動作を行う前に、点火延長をユーザに問い合わせることができる。ユーザは、問い合わせの時点で消火動作ではなく点火の延長を望む場合には、音声による所定指示を行えばよく、このようにすれば、その所定指示を認識させて点火を延長することができる。よって、その時点では、消火動作を望まないのに、意図に反して消火がなされてしまい、その消火に気付かないまま放置されてしまうような事態や、或いは、消火に気付いて手作業等によって点火動作を再度行ったりするような事態を回避しやすくなる。
【００１５】
コンロ側無線送信部は、コンロ側無線受信部が受信した指示データが、いずれかの電気部品を変更対象として所定の変更動作を指示するデータである場合に、端末宛情報を情報処理端末に無線送信するように機能してもよく、報知部は、端末側無線受信部が端末宛情報を受信した場合に、所定の確認情報として所定の変更動作を実行するか否かを問い合わせる情報を報知するように機能してもよい。この場合、端末側無線送信部は、所定の変更動作を実行するか否かを問い合わせる情報を報知部が報知した後、音声指示検出部が音声による所定の変更指示を検出した場合に、所定の変更指示に対応する指示データを無線送信するように機能してもよく、動作制御部は、コンロ側無線受信部が所定の変更指示に対応する指示データを受信した場合に、変更対象に所定の変更動作を行わせるように機能してもよい。
このようにすれば、ユーザは音声によって電気部品の変更動作を指示することができるようになる。但し、このように音声指示によって電気部品の変更動作を指示できるようにすると、雑音や言い間違えなどによって使用者の本来の意図に反して電気部品の変更動作が指示されてしまう虞もあるが、上記構成によれば、音声指示に応じた変更動作を行う前に、その変更動作を実行するか否かを問い合わせることができる。そして、その問い合わせに対して所定の変更指示がなされた場合に、変更動作を実行するように機能させることができる。このようにすれば、雑音や言い間違えなどによって使用者の意図に反した変更動作がなされてしまうことを防ぎやすくなる。
【００１６】
動作制御部は、コンロ側無線受信部が受信した指示データが、いずれかの電気部品を変更対象として所定の変更動作を指示するデータである場合に、変更対象に所定の変更動作を行わせるように機能してもよく、コンロ側無線送信部は、動作制御部が変更対象に所定の変更動作を行わせる場合において所定の変更動作の開始前又は開始後に端末宛情報を情報処理端末に無線送信するように機能してもよい。この場合、報知部は、端末側無線受信部が端末宛情報を受信した場合に、所定の変更動作が正しいか否かを問い合わせる情報又は所定の変更動作がなされたことを伝える情報の少なくともいずれかを所定の確認情報として所定の終了条件が成立するまで繰り返し報知するように機能してもよい。そして、所定の終了条件は、音声指示検出部が音声による所定の返答を検出することであってもよい。
このようにすれば、ユーザは音声によって電気部品の変更動作を指示することができるようになる。但し、このように音声指示によって電気部品の変更動作を指示できるようにすると、雑音や言い間違えなどによって使用者の意図に反して電気部品の変更動作が指示されてしまう虞もあるが、上記構成によれば、変更動作が行われる場合に、その変更動作が正しいか否かを問い合わせる情報又は変更動作がなされたことを伝える情報の少なくともいずれかを所定の確認情報として所定の終了条件が成立するまで繰り返し報知することができる。このような報知が繰り返されれば、万が一使用者の意図に反して電気部品の変更動作がなされたとしても使用者はその状態に気付くことができ、使用者が意図しない変更動作が継続してしまうことを防止し得る。一方で、使用者は、変更動作が意図する動作であった場合、音声によって所定の返答を行えば報知の繰り返しを容易に終了させることができる。
【００１７】
＜実施例１＞
以下、実施例１について、図面を参照して説明する。
図１で示すガスコンロシステム１００は、主に、ガスコンロ１と情報処理端末９０とによって構成されている。以下の説明では、ガスコンロシステム１００がガスコンロ用制御装置１０１として構成された例を代表例として説明する。
【００１８】
まず、ガスコンロ１について説明する。
図１のように、ガスコンロ１は、調理鍋等の調理器具を加熱可能なビルトインコンロとして構成されている。ガスコンロ１は、コンロ本体１Ａの上面を構成する天板２（トッププレート）から露出するように、右コンロ部４Ａ、左コンロ部４Ｂ、がそれぞれ設けられ、その左右のコンロ部４Ａ，４Ｂの間で後方寄りに後コンロ部４Ｃが設けられている。天板２の下方においてコンロ本体１Ａの内部中央付近にはグリル３が設けられている。グリル３は、被調理物を収納してグリルバーナ（ガスバーナ５４：図２）で加熱調理するグリル庫を備え、このグリル庫は、グリル扉３Ｂによって開閉可能とされている。右コンロ部４Ａ、左コンロ部４Ｂ、後コンロ部４Ｃ、グリル３には、図２で示すガスバーナ５１，５２，５３，５４がそれぞれ設けられている。なお、右コンロ部４Ａ、左コンロ部４Ｂ、後コンロ部４Ｃは、それぞれコンロ右、コンロ左、コンロ後ともいう。グリル３は、グリルオーブンともいう。
【００１９】
図２のように、複数のガスバーナ５１，５２，５３，５４には、複数の分岐供給路６１，６２，６３，６４がそれぞれ接続され、これら分岐供給路６１，６２，６３，６４は、共通供給路６０から分岐する構成をなす。共通供給路６０は、ガスバーナ５１，５２，５３，５４への共通のガス経路であり、複数の分岐供給路６１，６２，６３，６４は、共通供給路６０から分岐するとともに各ガスバーナ５１，５２，５３，５４に向けてガスを導くように配設された供給路である。共通供給路６０には、共通供給路６０を開閉する元電磁弁Ｎ１が設けられる。共通供給路６０から分岐してガスバーナ５１に続く分岐供給路６１には、分岐供給路６１を開閉可能な電磁弁（安全弁）５１Ｇと、分岐供給路６１を開閉可能な閉止弁５１Ｆと、ガスバーナ５１へのガス供給量を調整可能な火力調整弁５１Ｅとが設けられている。共通供給路６０から分岐してガスバーナ５２に続く分岐供給路６２には、分岐供給路６２を開閉可能な電磁弁（安全弁）５２Ｇと、分岐供給路６２を開閉可能な閉止弁５２Ｆと、ガスバーナ５２へのガス供給量を調整可能な火力調整弁５２Ｅとが設けられている。共通供給路６０から分岐してガスバーナ５３に続く分岐供給路６３には、分岐供給路６３を開閉可能な電磁弁（安全弁）５３Ｇと、分岐供給路６３を開閉可能な閉止弁５３Ｆと、ガスバーナ５３へのガス供給量を調整可能な火力調整弁５３Ｅとが設けられている。
【００２０】
安全弁５１Ｇ、閉止弁５１Ｆ、火力調整弁５１Ｅは、図３で示すステッピングモータＭ１によって駆動されるようになっており、ステッピングモータＭ１の回転角度が第１角度範囲になったときに安全弁５１Ｇが開放し、モータＭ１の回転角度が第２角度範囲になったときに閉止弁５１Ｆが開放し、ステッピングモータＭ１の回転角度が第１角度範囲及び第２角度範囲よりも大きい第３角度範囲のときに回転角度に応じて火力調整弁５１Ｅの開度が設定されるようになっている。具体的には、制御回路１０からの指示に応じたモータ駆動回路４８Ａの動作によってステッピングモータＭ１の回転角度が制御されることで火力調整弁５１Ｅの開度が制御され、ガスバーナ５１での火力が火力調整弁５１Ｅの開度に応じて定まる。同様に、制御回路１０からの指示に応じたモータ駆動回路４８Ｂの動作によってステッピングモータＭ２の回転角度が制御されることで火力調整弁５２Ｅの開度が制御され、ガスバーナ５２での火力が火力調整弁５２Ｅの開度に応じて定まる。同様に、制御回路１０からの指示に応じたモータ駆動回路４８Ｃの動作によってステッピングモータＭ３の回転角度が制御されることで火力調整弁５３Ｅの開度が制御され、ガスバーナ５３での火力が火力調整弁５３Ｅの開度に応じて定まる。グリル３のガスバーナ５４（グリルバーナ）は、グリル３内において上側に配置される上バーナ５４Ａと、グリル３内において上バーナ５４Ａよりも下側に配置される下バーナ５４Ｂとを備える。共通供給路６０から分岐してガスバーナ５４にガスを導く分岐供給路６４には、更に、分岐供給路６４から分岐して上バーナ５４Ａにガスを導く第１供給路６５Ａと、分岐供給路６４から分岐して下バーナ５４Ｂにガスを導く第２供給路６５Ｂとが接続されている。分岐供給路６４には、分岐供給路６４を開閉可能な電磁弁（安全弁）５４Ｇと閉止弁５４Ｆとが設けられ、第１供給路６５Ａには複数の電磁弁５４Ｈ，５４Ｊが設けられ、第２供給路６５Ｂには電磁弁５４Ｋが設けられている。電磁弁５４Ｈ，５４Ｊ，５４Ｋの開閉は、制御回路１０によって制御される。
【００２１】
図１に示すように、右コンロ部４Ａ、左コンロ部４Ｂ、後コンロ部４Ｃ、グリル３にそれぞれ対応するように４つの回転操作部６Ａ，６Ｂ，６Ｃ，６Ｄが設けられている。回転操作部６Ａは、右コンロ部４Ａの点火、消火、火力調整を行うものであり、回転操作部６Ｂは、左コンロ部４Ｂの点火、消火、火力調整を行うものであり、回転操作部６Ｃは、後コンロ部４Ｃの点火、消火、火力調整を行うものであり、回転操作部６Ｄは、グリル３の点火、消火、火力調整を行うものであり、これらはいずれも、押圧操作可能に構成され、且つ回転操作可能に構成されている。回転操作部６Ａ，６Ｂ，６Ｃ，６Ｄのいずれも、使用者が押す毎に退避位置と突出位置とに切り替わるようになっている。そして、図３の電気的構成で示すように、回転操作部６Ａ，６Ｂ，６Ｃ，６Ｄにそれぞれ対応するようにスイッチ３０Ａ，３０Ｂ，３０Ｃ，３０Ｄがそれぞれ設けられ、スイッチ３０Ａ，３０Ｂ，３０Ｃ，３０Ｄにそれぞれ対応するように点火信号入力回路４０Ａ，４０Ｂ，４０Ｃ，４０Ｄがそれぞれ設けられている。スイッチ３０Ａ，３０Ｂ，３０Ｃ，３０Ｄは、いずれも点火スイッチとして機能し、回転操作部６Ａ，６Ｂ，６Ｃ，６Ｄのいずれにおいても、各回転操作部が突出位置から退避位置（消火位置）へと操作されることに応じて、各回転操作部に対応するスイッチがオフ状態となり、このスイッチに対応する点火信号入力回路から制御回路１０にオフ信号が与えられる。また、回転操作部６Ａ，６Ｂ，６Ｃ，６Ｄのいずれにおいても、各回転操作部が退避位置から突出位置（点火位置）へと操作されることに応じて、各回転操作部に対応するスイッチがオン状態となり、このスイッチに対応する点火信号入力回路から制御回路１０にオン信号が与えられる。
【００２２】
更に、回転操作部６Ａ，６Ｂ，６Ｃ，６Ｄにそれぞれ対応するように変位検出部３２Ａ，３２Ｂ，３２Ｃ，３２Ｄがそれぞれ設けられ、変位検出部３２Ａ，３２Ｂ，３２Ｃ，３２Ｄにそれぞれ対応するように火力信号入力回路４２Ａ，４２Ｂ，４２Ｃ，４２Ｄがそれぞれ設けられている。回転操作部６Ａ，６Ｂ，６Ｃ，６Ｄのいずれにおいても、各回転操作部の変位（回転位置）を各回転操作部に対応する変位検出部が検出し、この変位検出部に対応する火力信号入力回路から変位検出部が検出した変位（回転位置）に応じた信号が制御回路１０に与えられる。
【００２３】
図２のように、上バーナ５４Ａにガスを導く主経路として第１供給路６５Ａが構成され、この第１供給路６５Ａに設けられた電磁弁５４Ｊを迂回するように、電磁弁５４Ｊの経路と並列の経路であるバイパス路６６Ａが設けられている。電磁弁５４Ｈが開放した状態で電磁弁５４Ｊが閉じているときには分岐供給路６４によって導かれたガスはバイパス路６６Ａを通って上バーナ５４Ａに供給される。また、電磁弁５４Ｈ，５４Ｊがいずれも開いているときには分岐供給路６４によって導かれたガスは第１供給路６５Ａ又はバイパス路６６Ａを通って上バーナ５４Ａに供給される。また、下バーナ５４Ｂにガスを導く主経路として第２供給路６５Ｂが構成され、この第２供給路６５Ｂに設けられた電磁弁５４Ｋを迂回するように、電磁弁５４Ｋの経路と並列の経路であるバイパス路６６Ｂが設けられている。電磁弁５４Ｋが閉じているときには分岐供給路６４によって導かれたガスはバイパス路６６Ｂを通って下バーナ５４Ｂに供給される。また、電磁弁５４Ｋが開いているときには分岐供給路６４によって導かれたガスは第２供給路６５Ｂ又はバイパス路６６Ｂを通って下バーナ５４Ｂに供給される。
【００２４】
また、図２、図３のように、各ガスバーナ５１，５２，５３のそれぞれの近くにはサーミスタ５１Ｃ，５２Ｃ，５３Ｃがそれぞれ設けられている。そして、サーミスタ５１Ｃ，５２Ｃ，５３Ｃのそれぞれに対応して温度信号入力回路４４Ａ，４４Ｂ，４４Ｃがそれぞれ設けられている。具体的には、サーミスタ５１Ｃは、右コンロ部４Ａに載置された調理容器の底部の温度を検出し、温度信号入力回路４４Ａは、サーミスタ５１Ｃでの検出温度に応じた電圧信号を制御回路１０に入力する。サーミスタ５２Ｃは、左コンロ部４Ｂに載置された調理容器の底部の温度を検出し、温度信号入力回路４４Ｂは、サーミスタ５２Ｃでの検出温度に応じた電圧信号を制御回路１０に入力する。サーミスタ５３Ｃは、後コンロ部４Ｃに載置された調理容器の底部の温度を検出し、温度信号入力回路４４Ｃは、サーミスタ５３Ｃでの検出温度に応じた電圧信号を制御回路１０に入力する。なお、図２ではサーミスタ５１Ｃ，５２Ｃ，５３Ｃを概念的に示しているが、サーミスタ５１Ｃ，５２Ｃ，５３Ｃのそれぞれの配置は、右コンロ部４Ａ、左コンロ部４Ｂ、後コンロ部４Ｃのそれぞれに載置された調理容器に近接し得る位置（具体的には、調理容器に対して直接的に又は他部材を介して間接的に接触し得る位置）であればよい。サーミスタ５４Ｃは、グリル３内に配置され、グリル３の庫内の所定位置の温度を検出し、温度信号入力回路４４Ｄは、サーミスタ５４Ｃでの検出温度に応じた電圧信号を制御回路１０に入力する。なお、図２、図３では図示は省略しているが、各ガスバーナ５１，５２，５３，５４Ａ，５４Ｂのそれぞれに隣接して熱電対がそれぞれ設けられ、各熱電対のそれぞれに対応して温度信号入力回路がそれぞれ設けられている。これら温度信号入力回路はいずれも、対応する熱電対で生じた起電力に応じた信号を制御回路１０に入力する。
【００２５】
各ガスバーナ５１，５２，５３，５４のそれぞれに隣接してイグナイタ２６Ａ，２６Ｂ，２６Ｃ，２６Ｄがそれぞれ設けられ、イグナイタ２６Ａ，２６Ｂ，２６Ｃ，２６Ｄのそれぞれに対応してイグナイタ回路４６Ａ，４６Ｂ，４６Ｃ，４６Ｄがそれぞれ設けられている。例えば、ガスバーナ５１に対応してイグナイタ２６Ａが設けられ、イグナイタ回路４６Ａは、スイッチ３０Ａの点火操作に応じてイグナイタ２６Ａを駆動し、イグナイタ２６Ａで火花を放電させてガスバーナ５１に点火する。
【００２６】
制御回路１０は、例えばマイクロコンピュータとして構成されており、図３のように、ＣＰＵ１０Ａ、ＲＯＭ１０Ｂ、ＲＡＭ１０Ｃなどを備え、更に、図示しないタイマー、Ｉ／Ｏインタフェースなどを備える。制御回路１０は、上述した各電磁弁（図３では図示を省略）、イグナイタ２６Ａ，２６Ｂ，２６Ｃ，２６Ｄ、複数のモータＭ１，Ｍ２，Ｍ３，Ｍ４、ブザー装置１２、音声装置１４などを制御し得る。ブザー装置１２は、圧電ブザー装置などの公知のブザー装置として構成されている。音声装置１４は、メロディ、メッセージなどの音声を発する装置であり、例えば、スピーカやスピーカに対して音声信号を与える駆動回路などを備え、制御回路１０からの指示に対応した音声を発するように動作する。不揮発性メモリ１６は、制御回路１０によって書き込み及び読み出しが可能とされた公知の不揮発性メモリである。操作部１８は、操作ボタンやタッチパネルなどの公知の入力インタフェースによって構成され、ユーザの操作に応じた情報を制御回路１０に入力し得るものである。また、上述した電気部品を含め、様々な電気部品に電力を供給するように電源回路４８が設けられている。電源回路４８は電池ボックスに収容された電池４９（例えば２つの乾電池）からの電力供給を受け、所定の電源電圧を生成する機能を有しており、電源回路４８で生成された電源電圧は、図示しない経路を介して様々な電気部品に供給される。
【００２７】
更に、電池４９の出力電圧（電池４９における高電位側端子の電位と低電位側端子の電位との電位差）を検出する電池電圧検出回路５０が設けられており、電池電圧検出回路５０は電池４９の出力電圧を示すアナログ電圧値を制御回路１０に入力し得るように構成されている。
【００２８】
更に、ガスコンロ１には、外部装置と無線通信を行うための通信回路である無線通信部２０が設けられている。無線通信部２０は、無線受信部の一例に相当し、公知の無線通信方式（例えば、Bluetooth（登録商標）、Ｗｉ−Ｆｉ（登録商標）などの公知の無線通信規格に従った通信方式など）によって外部装置と無線通信を行い得る装置である。図３には、外部装置の一例としてスマートフォンとして構成された情報処理端末９０を例示している。
【００２９】
次に、情報処理端末９０について説明する。
図４のように、情報処理端末９０は、制御回路９１、記憶部９２、無線通信部９３、表示装置９４、操作部９５、入力回路９６Ａ、マイク９６Ｂ、出力回路９７Ａ、スピーカ９７Ｂなどを備える。情報処理端末９０は、スマートフォンやタブレット端末などの携帯型情報処理端末として構成されており、図示しない二次電池を電源として動作し得るようになっている。情報処理端末９０は、ガスコンロ用制御装置を構成する要部である。なお、図３では、スマートフォンとして構成された情報処理端末９０を例示しているが、情報処理機能を有する携帯型の端末であればスマートフォン以外の構成であってもよい。また、図４では、ガスコンロ１については一部部品のみを例示し、他の部品の図示を省略している。
【００３０】
制御回路９１は、例えばマイクロコンピュータなどの公知の情報処理装置として構成され、ＣＰＵなどの公知の演算装置及び他の周辺回路などを備えてなり、様々な制御や演算を行い得る。記憶部９２は、情報を記憶し得る装置であれば良く、例えば、ＲＯＭ、ＲＡＭ、不揮発性メモリなどの公知の半導体記憶装置を複数種類備えた構成とすることができる。無線通信部９３は、無線送信部の一例に相当し、公知の無線通信方式（例えば、Bluetooth（登録商標）、Ｗｉ−Ｆｉ（登録商標）などの公知の無線通信規格に従った通信方式など）で無線通信を行い得る通信装置である。無線通信部９３は、ガスコンロ１の無線通信部２０と無線通信を行い得る。
【００３１】
表示装置９４は、例えば公知のタッチパネル式表示装置の一部をなす表示部であり、液晶ディスプレイや有機エレクトロルミネッセンスディスプレイなどの公知の画像表示装置として構成されている。操作部９５は、例えば、表示装置９４の前方を覆うように配置される公知のタッチパネルとして構成され、表示装置９４の画像を外部から視認可能な透明性の構成で表示装置９４を覆う構成をなす。なお、ここで示す例はあくまで一例であり、表示装置９４は、ユーザが視認し得る状態で画像を表示し得る構成であればよい。操作部９５は、ユーザの操作によって情報を入力し得る構成であればよく、タッチパネル以外の入力インタフェース（ボタン等）を備えていてもよい。
【００３２】
入力回路９６Ａは、マイク９６Ｂで集音された音声のアナログ信号をデジタル信号（集音された音声に対応する電気信号）に変換し、制御回路９１に入力する公知の音声入力回路として構成されている。本構成では、マイク９６Ｂ、入力回路９６Ａ、制御回路９１が音声指示検出部の一例に相当し、ユーザの声によってなされる指示（音声指示）を検出するように機能する。出力回路９７Ａは、制御回路９１からの制御信号に基づき、制御回路９１から与えられた音声のデジタル信号をアナログ信号に変換してスピーカ９７Ｂに出力する公知の音声出力回路として構成されている。
【００３３】
情報処理端末９０での音声認識機能の原理を簡単に説明する。音声認識は、周知の音声認識技術を用いることができる。具体的には、記憶部９２（例えば不揮発性メモリ）に記憶する「音響モデルデータ」と、入力された音声信号（波形）のマッチング（照合）で行うとよい。「音響モデルデータ」とは、平均的な発音データを基に作られた音声の単語辞書を意味する。マッチングには、例えば「HMM（Hidden Markov Model）」と呼ばれる理論を用いるとよい。マッチングは通常１０〜２０ミリ秒の単位で、単語の先頭から順次行うのがよい。なお、音声認識技術は、公知の様々な音声認識方式を採用することができ、外部からマイク９６Ｂに入力された音声を解析して当該音声に含まれる言葉を認識し得る方式であれば、具体的な方式は特に限定されない。
【００３４】
次に、音声対応処理について説明する。
図５で示す音声対応処理は制御回路９１によって実行される処理であり、例えば、所定の開始条件の成立（例えば、電源投入、或いは電源投入後の所定のトリガ条件（例えばユーザによる操作部９５に対する所定操作など））に応じて初回の処理が実行され、初回の処理が実行された後には、繰り返し実行されるようになっている。なお、以下で説明する音声対応処理は、例えば、情報処理端末９０をガスコンロ１と無線通信可能な位置（例えば、ガスコンロ１の周辺のキッチンカウンター上など）に配置した状態で実行すれば、ユーザが情報処理端末９０を手に持って操作せずともハンズフリー状態で好適に行うことができる。
【００３５】
制御回路９１は、図５の音声対応処理を開始した場合、まず、ステップＳ１において第１選択肢を表示する。本構成では、第１選択肢として複数の言葉が予め登録されており、ステップＳ１では、第１選択肢として登録された言葉を表示装置９４の表示画面に表示する。表示装置９４は、表示部の一例に相当する。図８の説明図で示すように、制御回路９１では、第１選択肢として「火を消す」「コンロ右」「コンロ左」「コンロ後」「グリルオーブン」「機器情報」の６種類の言葉（項目）が予め定められており、６種類の言葉（項目）を特定するための情報は記憶部９２に記憶されている。制御回路９１は、ステップＳ１において第１選択肢を表示する場合、記憶部９２に記憶された情報に基づき、第１選択肢として登録された言葉（「火を消す」「コンロ右」「コンロ左」「コンロ後」「グリルオーブン」「機器情報」）を図９のように情報処理端末９０の表示装置９４に表示する。図９には、ステップＳ１の処理によって第１選択肢を表示装置９４に表示したときの表示例を示しており、図９の例では、第１選択肢として登録された言葉（「火を消す」「コンロ右」「コンロ左」「コンロ後」「グリルオーブン」「機器情報」）の各画像１１１を表示装置９４に同時に表示している。なお、以下の説明では、このように、第１選択肢として、「火を消す」「コンロ右」「コンロ左」「コンロ後」「グリルオーブン」「機器情報」が定められた例を代表例として説明する。
【００３６】
図９の例では、ステップＳ１で表示装置９４に表示される画像において第１選択肢の項目の各画像１１１が含まれ、これらの画像１１１は、選択可能であることを示す特定色（例えば、赤色）の文字とされている。なお、第１選択肢の項目の画像１１１以外の文字を表示する場合、第１選択肢の項目の画像１１１の表示態様と異なる表示態様で文字を表示することが望ましい。具体的には、画像１１１以外の文字を表示する場合、上記特定色以外の色の文字で表示することが望ましく、画像１１１とは文字サイズが異なる画像とすることがより望ましい。
【００３７】
制御回路９１は、ステップＳ１の後、ステップＳ２において、ステップＳ１で表示された複数の第１選択肢（即ち、各画像１１１で示される文字）のうち、いずれかを選択する音声指示があったか否かを判定する。制御回路９１は、ステップＳ２において、いずれの第１選択肢の音声も検出されていないと判定した場合(ステップＳ２でＮｏの場合)、ステップＳ１に戻り、図９のように表示装置９４に複数の第１選択肢を表示した状態を維持する。具体的には、制御回路９１は、図９のように表示装置９４に複数の第１選択肢（「火を消す」「コンロ右」「コンロ左」「コンロ後」「グリルオーブン」「機器情報」）を表示している状態で、いずれの第１選択肢の音声もマイクに入力されない間は、ステップＳ１の後にステップＳ２でＮｏと判定する処理を繰り返し、図９のように表示装置９４に複数の第１選択肢を表示した状態を継続する。
【００３８】
制御回路９１は、ステップＳ１で図９のように表示装置９４に複数の第１選択肢を表示し、その表示状態を継続しているときに表示装置９４に表示される複数の第１選択肢のうちのいずれかの第１選択肢を音声として検出した場合（ステップＳ２でＹｅｓの場合）、ステップＳ３において、その検出した音声指示(音声として検出された第１選択肢)を特定する。具体的には、図９のような表示がなされているときに複数の第１選択肢（「火を消す」「コンロ右」「コンロ左」「コンロ後」「グリルオーブン」「機器情報」）のうちのいずれかの言葉が音声としてマイク９６Ｂに入力された場合、制御回路９１は、ステップＳ３において、そのマイク９６Ｂに入力された音声を入力回路９６Ａが変換した信号に基づき、複数の第１選択肢のうちのいずれの言葉（項目）がマイク９６Ｂに音声入力（選択）されたのかを特定する処理を行う。
【００３９】
制御回路９１は、ステップＳ３で特定した言葉（第１選択肢）が「火を消す」である場合、ステップＳ４において「火を消す」に対応する対応処理を行う。ステップＳ４の対応処理は、例えば、ガスコンロ１に設けられた全てのガスバーナ５１，５２，５３，５４を消火状態にする処理である。制御回路９１は、ステップＳ３で特定した言葉（第１選択肢）が「コンロ右」である場合、ステップＳ５において「コンロ右」に対応する対応処理を行う。制御回路９１は、ステップＳ３で特定した言葉（第１選択肢）が「コンロ左」である場合、ステップＳ６において「コンロ左」に対応する対応処理を行う。制御回路９１は、ステップＳ３で特定した言葉（第１選択肢）が「コンロ後」である場合、ステップＳ７において「コンロ後」に対応する対応処理を行う。制御回路９１は、ステップＳ３で特定した言葉（第１選択肢）が「グリルオーブン」である場合、ステップＳ８において「グリルオーブン」に対応する対応処理を行う。制御回路９１は、ステップＳ３で特定した言葉（第１選択肢）が「機器情報」である場合、ステップＳ９において「機器情報」に対応する対応処理を行う。
【００４０】
本構成では制御回路９１が表示制御部の一例に相当し、表示部の一例である表示装置９４の表示を制御するように機能する。そして、上述したように、制御回路９１（表示制御部）は、所定の表示条件の成立に応じて、図９のように、音声認識対象の言葉として予め定められた複数種類の候補語を表示装置９４に表示する。「所定の表示条件の成立」は、例えば、図５の制御を開始するための「所定の開始条件の成立」であり、具体的には、電源投入がなされたこと、或いは電源投入後に所定のトリガ条件が成立したこと（例えばユーザによって操作部９５に対して所定操作がなされたことなど）などが挙げられる。そして、音声指示検出部の一例に相当するマイク９６Ｂ、入力回路９６Ａ、制御回路９１は、図９のように複数種類の候補語が表示装置９４に表示されているときに、表示装置９４に表示された複数の候補語のうち、いずれかの候補語を音声指示として検出するように機能する。そして、端末側無線送信部の一例に相当する制御回路９１及び無線通信部９３は、図９のように複数種類の候補語が表示装置９４に表示されているときにいずれかの候補語が音声指示検出部で検出された場合に、音声指示検出部で検出された候補語に対応する指示データ（具体的には、検出された候補語を特定し得る情報を含んだ指示データ）をステップＳ４〜Ｓ９において無線送信するように機能する。例えば、ステップＳ２、Ｓ３において「コンロ右」の音声が上記音声指示検出部によって検出される場合（ステップＳ１で第１選択肢が表示されたときに「コンロ右」の音声がマイク９６Ｂに入力される場合）、ステップＳ５では、「コンロ右」に対応する指示データ（「コンロ右」を特定し得る情報を含んだ指示データ）を上記端末側無線送信部が無線送信するように機能する。
【００４１】
ステップＳ１で図９のように複数種類の候補語（第１選択肢）が表示装置９４に表示された後、その表示状態においていずれかの候補語が音声指示検出部で検出された場合、表示制御部の一例に相当する制御回路９１は、図１０のように、音声指示検出部で検出された候補語を他の候補語と区別して示す候補語特定画像１１５を表示部に表示する。図１０の例では、候補語特定画像１１５は、音声指示検出部で検出された候補語（第１選択肢）である「コンロ右」の文字を、他の候補語（「コンロ後」「コンロ左」「グリルオーブン」「機器情報」「火を消す」）を文字で表した各画像の各文字とは異なる態様で表示する画像となっている。具体的には、候補語特定画像１１５に含まれる「コンロ右」の文字は、他の候補語（「コンロ後」「コンロ左」「グリルオーブン」「機器情報」）の各画像１１６に含まれる文字と比較してサイズが異なっている。また、別の候補語である「火を消す」の画像１１２に含まれる文字と比較して色が異なっている。
【００４２】
図１０の例では、図１０のように複数の候補語が表示装置９４に表示された表示時点で選択不能な候補語を、選択不能であることを示す態様で表している。図１０の例では、候補語特定画像１１５の「コンロ右」の文字が「黒色」且つ「大サイズ」で表示されており、他の候補語（「コンロ後」「コンロ左」「グリルオーブン」「機器情報」）の各画像１１６の文字は、候補語特定画像１１５の文字よりも小さい「小サイズ」且つ「黒色」の文字で表示されている。このように、図１０の例では、候補語特定画像１１５に含まれる「コンロ右」の文字も、他の候補語の各画像１１６に含まれる「コンロ後」「コンロ左」「グリルオーブン」「機器情報」の文字も黒色で示されており、黒色で表された項目は、音声によって選択不能な項目となっている。つまり、図１０の例では、「コンロ右」「コンロ後」「コンロ左」「グリルオーブン」「機器情報」の文字を黒色（選択不能であることを示す色）で表すことで、図１０のような表示状態のときにこれらの項目が音声によって選択できないことを示している。
【００４３】
一方、図１０の例では、図１０のように複数の候補語が表示装置９４に表示された表示時点で選択可能な候補語（「火力大」「火力中」「便利機能」「火を消す」「音声操作終了」）を、他の文字（選択不能な候補語を示す文字）と異なる態様（赤色且つ大サイズの文字）で表示している。つまり、図１０の例では、「火力大」「火力中」「便利機能」「火を消す」「音声操作終了」の文字を赤色（選択可能であることを示す色）で表すことで、図１０のような表示状態のときにこれらの項目が音声によって選択できることを示している。
【００４４】
ここで、図５のステップＳ５〜Ｓ８で行われる各処理の具体例を説明する。ステップＳ５〜Ｓ８で行われる各処理は、いずれかのコンロ又はグリルを対象として、その対象の動作を制御する処理である。以下では、コンロ右（右コンロ部４Ａ）を対象とするステップＳ５の処理の具体的内容を代表例として説明するが、ステップＳ６〜Ｓ８の各処理も同様であり、ステップＳ６〜Ｓ８の各処理は、「コンロ左」「コンロ後」「グリルオーブン」のそれぞれを対象としてステップＳ５と同様に行う。
【００４５】
制御回路９１は、図５のステップＳ５の処理を実行する場合、図６のような流れでコンロ右（右コンロ部４Ａ）に対応する対応処理を実行する。なお、ステップＳ６〜Ｓ８の各処理を実行する場合、各処理に対応する装置を対象として図６と同一の処理を実行する。
【００４６】
コンロ右（右コンロ部４Ａ）を対象とするステップＳ５において図６のような流れで対応処理を行う場合、この対応処理では、まず、ステップＳ１１において、当該対応処理で対象となっている装置（コンロ右（右コンロ部４Ａ））に対応する第２選択肢を表示する。本構成では、図６の対応処理で対象となる装置（ここでは「コンロ右」）に対応する第２選択肢として複数の言葉（項目）が予め登録されており、ステップＳ１１では、第２選択肢として登録された複数の言葉（項目）を表示装置９４（表示部）の表示画面に表示する。具体的には、図８の説明図で示すように、コンロ右（右コンロ部４Ａ）に対応する第２選択肢として「便利機能」「火力大」「火力中」「火力小」「火を消す」「音声操作終了」の６種類の言葉（項目）が予め定められており、制御回路９１は、ステップＳ１１において、これらの言葉を情報処理端末９０の表示装置９４に表示する。図１０には、図６の対応処理がコンロ右（右コンロ部４Ａ）を対象としている場合にステップＳ１１の処理によって第２選択肢を表示装置９４に表示したときの表示例を示している。ステップＳ１１の処理によって表示装置９４に表示される画像では、コンロ右（右コンロ部４Ａ）に対応付けられた複数の第２選択肢の各画像１１２が含まれており、各画像１１２で表示される言葉（項目）の文字は、上述したように音声によって選択可能であることを示す特定色（例えば、赤色）の文字とされている。なお、図１０のように、ステップＳ１１で表示される画像では、音声によって選択不能である言葉（項目）については、その特定色以外の色の文字とされている。なお、本明細書において音声によって選択可能な言葉とは、その言葉の音声がマイク９６Ｂに入力されたときに、その言葉が制御回路９１によって認識され、その認識に応じて所定の処理が開始される言葉である。
【００４７】
制御回路９１は、ステップＳ１１の後、ステップＳ１２において、第２選択肢のいずれかを選択する音声指示があったか否かを判定する。制御回路９１は、ステップＳ１２において、いずれの第２選択肢の音声も検出されていないと判定した場合（ステップＳ１２でＮｏの場合）、ステップＳ１１に戻り、図１０のように表示装置９４に複数の第２選択肢を表示した状態を維持する。具体的には、制御回路９１は、図１０のように表示装置９４に複数の第２選択肢（具体的には、「火力大」「火力中」「便利機能」「火を消す」「音声操作終了」の各項目）を表示している状態で、いずれの第２選択肢の音声もマイク９６Ｂに入力されない間は、ステップＳ１１の後にステップＳ１２でＮｏと判定する処理を繰り返し、図１０のように表示装置９４に複数の第２選択肢を表示した状態を継続する。
【００４８】
制御回路９１は、ステップＳ１２において第２選択肢のいずれかを選択する音声指示があったと判定した場合、ステップＳ１３において、音声指示で選択された内容（即ち、選択された第２選択肢）を特定する。具体的には、制御回路９１は、ステップＳ１１で図１０のように表示装置９４に複数の第２選択肢を表示し、その表示状態を継続しているときに表示装置９４に表示される複数の第２選択肢のうちのいずれかの第２選択肢を音声として検出した場合（ステップＳ１２でＹｅｓの場合）、ステップＳ１３において、その検出した音声指示(音声として検出された第２選択肢)を特定する。具体的には、図１０のような表示がなされているときに複数の第２選択肢（「火力大」「火力中」「便利機能」「火を消す」「音声操作終了」の各項目）のうちのいずれかの言葉が音声としてマイク９６Ｂに入力された場合、制御回路９１は、ステップＳ１３において、そのマイク９６Ｂに入力された音声を入力回路９６Ａが変換した信号に基づき、複数の第２選択肢のうちのいずれの言葉（項目）がマイク９６Ｂに音声入力（選択）されたのかを特定する処理を行う。
【００４９】
制御回路９１は、例えば、ステップＳ１３で特定された第２選択肢が「便利機能」である場合、ステップＳ１４では、図６の処理で対象となっている右コンロ（右コンロ部４Ａ）についての「便利機能」に対応する対応処理を行い、そのために右コンロ（右コンロ部４Ａ）についての「便利機能」を実行することを指示する指示データを無線送信する。また、ステップＳ１３で特定された第２選択肢が「火力大」である場合、ステップＳ１５では、図６の処理で対象となっている右コンロ（右コンロ部４Ａ）の火力を「大」にする対応処理を行い、そのために右コンロ（右コンロ部４Ａ）を火力大にすることを指示する指示データを無線送信する。また、ステップＳ１３で特定された第２選択肢が「火力中」である場合、ステップＳ１６では、図６の処理で対象となっている右コンロ（右コンロ部４Ａ）の火力を「中」に対応する対応処理を行い、そのために右コンロ（右コンロ部４Ａ）を火力中にすることを指示する指示データを無線送信する。また、ステップＳ１３で特定された第２選択肢が「火力小」である場合、ステップＳ１７では、図６の処理で対象となっている右コンロ（右コンロ部４Ａ）の火力を「小」に対応する対応処理を行い、そのために右コンロ（右コンロ部４Ａ）を火力小にすることを指示する指示データを無線送信する。また、ステップＳ１３で特定された第２選択肢が「火を消す」である場合、ステップＳ１８では、図６の処理で対象となっている右コンロ（右コンロ部４Ａ）を「消火」する対応処理を行い、そのために右コンロ（右コンロ部４Ａ）を消火することを指示する指示データを無線送信する。また、ステップＳ１３で特定された第２選択肢が「音声操作終了」である場合、ステップＳ１９では、図６の処理で対象となっている右コンロ（右コンロ部４Ａ）の音声操作を終了する対応処理を行い、そのために右コンロ（右コンロ部４Ａ）の音声操作を終了することを指示する指示データを無線送信する。例えば、右コンロ部４Ａが小火力となっている状態でステップＳ１５の処理を行う場合、端末側無線送信部の一例に相当する制御回路９１及び無線通信部９３は、右コンロ部４Ａの火力を「大」に指示することを指示する指示データをガスコンロ１に無線送信し、コンロ側無線受信部の一例に相当する制御回路１０及び無線通信部２０は、端末側無線送信部から無線送信された当該指示データを受信する。
【００５０】
図５、図６の例では、ステップＳ５〜Ｓ８のいずれかの処理を開始する場合（即ち、図６の処理を開始する場合）も、「所定の表示条件の成立」の一例に相当し、表示制御部の一例に相当する制御回路９１は、このような条件の成立に応じてステップＳ１１の処理を行い、図１０のように複数種類の候補語（第２選択肢）を表示装置９４（表示部）に表示する。そして、制御回路９１（表示制御部）は、複数種類の候補語（第２選択肢）を表示装置９４に表示する場合、その表示時点（即ち、ステップＳ１１の開始時点）で選択可能な候補語（第２選択肢）を他の文字と異なる態様（具体的には、選択不能な項目の文字色とは異なる色）で表示する。そして、図１０のような表示状態のときに、音声指示検出部（マイク９６Ｂ、入力回路９６Ａ、制御回路９１）は、表示装置９４に表示された複数の候補語（第２選択肢）のうち、いずれかの候補語を音声指示として検出し得る。そして、端末側無線送信部（制御回路９１、無線通信部９３）は、いずれかの候補語（第２選択肢）が音声指示検出部で検出された場合に、音声指示検出部で検出された候補語に対応する指示データを無線送信する。なお、制御回路９１（表示制御部）は、いずれかの候補語（第２選択肢）が音声指示検出部で検出された場合に、図１１のように、音声指示検出部で検出された候補語（第２選択肢）を他の候補語と区別して示す候補語特定画像１１８を表示装置９４に表示する
【００５１】
ステップＳ１５〜Ｓ１８の処理で無線送信される指示データは、変更対象となる電気部品を特定する情報と、変更対象となる電気部品に対する変更動作を特定する情報とを含む。例えば、図６の処理がコンロ右（右コンロ部４Ａ）を対象としている場合にステップＳ１５で無線送信される指示データは、「コンロ右（右コンロ部４Ａ）を特定する情報」と「火力を大火力にする制御を特定する情報」とを含む。そして、このように無線送信された指示データをコンロ側無線受信部（制御回路１０及び無線通信部２０）が受信した場合、制御回路１０は、所定条件の成立に応じて、その指示データで指定された電気部品にその指示データで指定された動作を行わせる。
【００５２】
具体的には、ステップＳＳ１５〜Ｓ１８のいずれかがなされることに応じてコンロ側無線受信部（制御回路１０及び無線通信部２０）が上述の指示データ（いずれかの電気部品を変更対象として所定の変更動作を指示するデータ）を受信した場合、コンロ側無線送信部の一例に相当する制御回路１０及び無線通信部２０は、「所定の端末宛情報」を情報処理端末９０に無線送信する。この「所定の端末宛情報」は、ユーザへの問い合わせを指示する指示情報を含んでおり、例えば、「コンロ側無線受信部（制御回路１０及び無線通信部２０）が受信した上述の指示データで指定された変更動作を実行するか否かの問い合わせを指示する指示情報」を含んでいる。
【００５３】
このようにコンロ側無線送信部から送信された「所定の端末宛情報」を端末側無線受信部（制御回路９１及び無線通信部９３）が受信した場合、報知部（制御回路９１、表示装置９４、出力回路９７Ａ、スピーカ９７Ｂ）は、「所定の確認情報」の一例として「いずれかの電気部品を変更対象として所定の変更動作を実行するか否かを問い合わせる情報」を報知する。「いずれかの電気部品を変更対象として所定の変更動作を実行するか否かを問い合わせる情報」は、コンロ右（右コンロ部４Ａ）が変更対象であれば、「コンロ右の火力を大火力に変更してよろしいでしょうか」「コンロ右の火力を強めてよろしいでしょうか」といったメッセージなどが挙げられ、変更対象となる電気部品と変更動作とを特定し得るメッセージであることが望ましい。このメッセージはスピーカ９７Ｂから音声によって報知してもよく、表示装置９４にて画像によって報知してもよく、音声と画像の両方によって報知してもよい。また、これらのメッセージは、同様の趣旨のメッセージに置き換えることができる。また、メッセージは「変更動作を許可しますか」といった簡易なメッセージであってもよい。
【００５４】
そして、端末側無線送信部（制御回路９１及び無線通信部９３）は、このように「いずれかの電気部品を変更対象として所定の変更動作を実行するか否かを問い合わせる情報」を報知部が報知した後、音声指示検出部（マイク９６Ｂ、入力回路９６Ａ、制御回路９１）が「音声による所定の変更指示」を検出した場合に、「所定の変更指示に対応する指示データ」を無線送信する。「音声による所定の変更指示」としては、「はい」「ＹＥＳ」「変更」などの、変更を指示する音声指示（変更を許可する音声指示）が挙げられる。「所定の変更指示に対応する指示データ」は、音声指示検出部が上記「音声による所定の変更指示」を検出したことを条件として情報処理端末９０からガスコンロ１に対して無線送信される特定の指示データである。具体的には、報知部が上述した「いずれかの電気部品を変更対象として所定の変更動作を実行するか否かを問い合わせる情報」を報知した後、一定時間が経過する前に、予め定められた変更指示の音声（例えば、「はい」「ＹＥＳ」「変更」など）がマイク９６Ｂに入力された場合、端末側無線送信部（制御回路９１及び無線通信部９３）は、所定の変更指示に対応する指示データ（具体的には、上記「問い合わせる情報」に対してユーザが許可する返答を行ったことを特定する所定情報を含んだ指示データ）を無線送信する。
【００５５】
このように端末側無線送信部（制御回路９１及び無線通信部９３）が「所定の変更指示に対応する指示データ」を無線送信した場合において、コンロ側無線受信部が当該「所定の変更指示に対応する指示データ」を受信した場合、動作制御部の一例に相当する制御回路１０は、上記「変更対象となる電気部品」に上記「所定の変更動作」を行わせる。例えば、コンロ右（右コンロ部４Ａ）を対象としてステップＳ１５の処理がなされた場合、コンロ右（右コンロ部４Ａ）が「変更対象となる電気部品」であり、火力を大火力に変更することが「所定の変更動作」であり、このような場合に、コンロ側無線受信部が上記「所定の変更指示に対応する指示データ」を受信した場合、制御回路１０は、コンロ右（右コンロ部４Ａ）の火力を大火力に変更するようにモータＭ１の回転角度を制御する。なお、ここではステップＳ１５の処理を例示したが、ステップＳ１６、Ｓ１７でも、火力が変更される場合には同様の処理を行うことができる。
【００５６】
制御回路９１は、図５におけるステップＳ５〜Ｓ８のいずれの処理を行う場合でも、図６のような流れで対応処理を行うことができ、図６の処理においてステップＳ１４の処理を実行する場合には、図７のような流れで「便利機能」に対応する対応処理を実行する。この対応処理では、まず、ステップＳ２１において、「便利機能」に対応する第３選択肢を表示する。本構成では、「便利機能」に対応する第３選択肢として複数の言葉（項目）が予め登録されており、ステップＳ２１では、第３選択肢として登録された言葉（項目）を表示装置９４（表示部）の表示画面に表示する。具体的には、図８の説明図で示すように、「便利機能」に対応する第３選択肢として「タイマー」「煮もの」「湯沸し」「温度設定」「火を消す」「音声操作終了」の６種類の言葉（項目）が予め定められており、制御回路９１は、ステップＳ２１において、これらの言葉を情報処理端末９０の表示装置９４に表示する。図１１には、ステップＳ２１の処理によって第３選択肢を表示装置９４に表示したときの表示例を示している。なお、図８では、コンロ右及びコンロ左に対応する第３選択肢を例示しているが、コンロ後やグリルオーブンについても同様の第３選択肢を用意しておくことができる。なお、コンロ後やグリルオーブンについての第３選択肢は、コンロ右及びコンロ左に対応する第３選択肢とは異なるものとしてもよい。
【００５７】
制御回路９１は、図６で示すステップＳ１１の処理の実行によって図１０のような画像（複数の候補語（第２選択肢）が示された画像）を表示しているときに「便利機能」の候補語（第２選択肢）を検出してステップＳ１４の処理を行う場合、図１１のような画像を表示装置９４に表示し、「便利機能」の言葉（項目）の画像１１８と、「便利機能」に対応付けられた第３選択肢の言葉（項目）の各画像１１３とを表示装置９４に同時に表示する。各画像１１３で表示される項目の文字は、選択可能であることを示す特定色（例えば、赤色）の文字とされている。第３選択肢の各画像１１３以外の文字は、その特定色以外の色の文字とされており、第１選択肢の各画像１１７に含まれる文字も、選択中の「便利機能」の画像１１８に含まれる文字も上記特定色以外の色（例えば黒色）とされている。
【００５８】
制御回路９１は、ステップＳ２１の後、ステップＳ２２において、第３選択肢のいずれかを選択する音声指示があったか否かを判定する。制御回路９１は、ステップＳ２２において、いずれかの第３選択肢の音声も検出されていないと判定した場合（ステップＳ２２でＮｏの場合）、ステップＳ２１に戻り、図１１のように複数の第３選択肢を表示した状態を維持する。具体的には、制御回路９１は、図１１のように表示装置９４に複数の第３選択肢（具体的には、「温度設定」「タイマー」「煮もの」「湯沸し」「火を消す」「音声操作終了」の各項目）を表示している状態で、いずれの第３選択肢の音声もマイク９６Ｂに入力されない間は、ステップＳ２１の後にステップＳ２２でＮｏと判定する処理を繰り返し、図１１のように表示装置９４に複数の第３選択肢を表示した状態を継続する。
【００５９】
制御回路９１は、ステップＳ２２において第３選択肢のいずれかを選択する音声指示があったと判定した場合、ステップＳ２３において、音声指示で選択された内容（即ち、選択された第３選択肢）を特定する。具体的には、制御回路９１は、ステップＳ２１で図１１のように表示装置９４に複数の第３選択肢を表示し、その表示状態を継続しているときに表示装置９４に表示される複数の第３選択肢のうちのいずれかの第３選択肢を音声として検出した場合（ステップＳ２２でＹｅｓの場合）、ステップＳ２３において、その検出した音声指示(音声として検出された第３選択肢)を特定する。具体的には、図１１のような表示がなされているときに複数の第３選択肢（「温度設定」「タイマー」「煮もの」「湯沸し」「火を消す」「音声操作終了」の各項目）のうちのいずれかの言葉（項目）が音声としてマイク９６Ｂに入力された場合、制御回路９１は、ステップＳ２３において、そのマイク９６Ｂに入力された音声を入力回路９６Ａが変換した信号に基づき、複数の第３選択肢のうちのいずれの言葉（項目）がマイク９６Ｂに音声入力（選択）されたのかを特定する処理を行う。制御回路９１は、ステップＳ２３で特定された第３選択肢が「タイマー」である場合、ステップＳ２４では図７で対象となっている装置について「タイマー」に対応する対応処理を行い、そのために図７で対象となっている装置について「タイマー」の処理を実行することを指示する指示データを無線送信する。ステップＳ２３で特定された第３選択肢が「煮もの」である場合、ステップＳ２５では図７で対象となっている装置について「煮もの」に対応する対応処理を行い、そのために図７で対象となっている装置について「煮もの」の処理を実行することを指示する指示データを無線送信する。ステップＳ２３で特定された第３選択肢が「湯沸し」である場合、ステップＳ２６では図７で対象となっている装置について「湯沸し」に対応する対応処理を行い、そのために図７で対象となっている装置について「湯沸し」の処理を実行することを指示する指示データを無線送信する。ステップＳ２３で特定された第３選択肢が「温度設定」である場合、ステップＳ２７では図７で対象となっている装置について「温度設定」に対応する対応処理を行い、そのために図７で対象となっている装置について「温度設定」の処理を実行することを指示する指示データを無線送信する。ステップＳ２３で特定された第３選択肢が「火を消す」である場合、ステップＳ２８では図７で対象となっている装置を「消火」する対応処理を行い、そのために図７で対象となっている装置について「消火」の処理を実行することを指示する指示データを無線送信する。ステップＳ２３で特定された第３選択肢が「音声操作終了」である場合、ステップＳ２９では図７で対象となっている装置の音声操作を終了する処理を行い、そのために図７で対象となっている装置について「音声操作終了」を実行することを指示する指示データを無線送信する。
【００６０】
図６、図７の例では、ステップＳ１４の処理を開始する場合（即ち、図７の処理を開始する場合）も、「所定の表示条件の成立」の一例に相当し、表示制御部の一例に相当する制御回路９１は、このような条件の成立に応じてステップＳ２１の処理を行い、図１１のように複数種類の候補語（第３選択肢）を表示装置９４（表示部）に表示する。そして、制御回路９１（表示制御部）は、複数種類の候補語（第３選択肢）を表示装置９４に表示する場合、その表示時点（即ち、ステップＳ２１の開始時点）で選択可能な候補語（第３選択肢）を他の文字と異なる態様（具体的には、選択不能な項目の文字色とは異なる色）で表示する。そして、図１１のような表示状態のときに、音声指示検出部（マイク９６Ｂ、入力回路９６Ａ、制御回路９１）は、表示装置９４に表示された複数の候補語（第３選択肢）のうち、いずれかの候補語を音声指示として検出し得る。そして、端末側無線送信部（制御回路９１、無線通信部９３）は、いずれかの候補語（第３選択肢）が音声指示検出部で検出された場合に、音声指示検出部で検出された候補語に対応する指示データを無線送信する。なお、図１１のような表示状態のときに音声によって「煮もの」が選択された場合、ステップＳ２５にて「煮もの」対応処理を開始することになる。この場合、情報処理端末９０からガスコンロ１に対して「煮もの」対応処理を指示する指示データが送信され、ガスコンロ１において「煮もの」対応処理が行われることになる。なお、制御回路９１は、ガスコンロ１に対して「煮もの」対応処理を指示する指示データを送信した後、図７の処理を終了し、再び、図５で示す音声対応処理を開始することになるが、このときにステップＳ１で第１選択肢を表示する際に「煮もの」対応処理が継続して実行されている場合、図１２のように、実行中の処理を示す情報を含んだ画像１１４を、その実行中の処理を実行している装置（図１２の例ではコンロ右）を示す画像と対応付けて表示するとよい。図１２の例では、第１選択肢の項目の各画像１１１のうち、処理が実行されている装置の画像（図１２では「コンロ右」の文字画像）については、その装置で実行中の処理を特定する画像１１４とともに近接させて表示している。
【００６１】
本構成のガスコンロシステム１００において、ガスコンロ１のコンロ側無線送信部（制御回路１０及び無線通信部２０）は、所定の情報送信条件が成立した場合に、ガスコンロ１の状態情報を含む端末宛情報を情報処理端末９０に無線送信する。そして、情報処理端末９０の表示制御部（制御回路９１）は、端末側無線受信部（制御回路９１及び無線通信部９３）が上記状態情報を含む端末宛情報を受信した場合に、状態情報によって特定されるガスコンロ１の状態の画像を表示部（表示装置９４）に表示する。「所定の情報送信条件」は、例えば、ユーザによってガスコンロ１に対して何らかの指示（例えば、操作部やセンサーなどの入力インタフェースに対する所定操作）がなされた場合であってもよく、所定の開始時点（例えば、図５の制御の開始時点）から一定時間毎のタイミングであってもよく、情報処理端末９０から何らかの要求情報が送信された場合（例えば、ユーザが情報処理端末９０に対して予め定められた所定操作（ガスコンロ１に所定コマンドを無線送信するための所定操作等）を行った場合など）であってもよい。
【００６２】
具体的には、ガスコンロ１のコンロ側無線送信部（制御回路１０及び無線通信部２０）は、上記「所定の情報送信条件」が成立した場合、その成立時点で使用されているガスバーナの位置、使用されているガスバーナの火力、を示す情報などの状態情報を含んだ端末宛情報を情報処理端末９０に無線送信する。状態情報のうち、「使用されているガスバーナの位置を示す情報」は、ガスバーナ５１〜５４の中でいずれのガスバーナが点火中であるのかを特定する情報である。また、状態情報のうち、「使用されているガスバーナの火力を示す情報」は、点火中のガスバーナで設定中の火力を特定する情報であり、点火中のガスバーナが複数存在している場合には、それぞれのガスバーナに対応付けた形で火力を特定する情報が含められる。従って、情報処理端末９０は、このような状態情報を含んだ端末宛情報を取得すれば、どのガスバーナがどのような火力で使用されているのかを特定することができる。
【００６３】
このように、ガスコンロ１から「状態情報を含んだ端末宛情報」が無線送信された場合において、端末側無線受信部（制御回路９１及び無線通信部９３）が上記「状態情報を含んだ端末宛情報」を受信した場合、情報処理端末９０の制御回路９１（表示制御部）は、その端末宛情報に基づき、使用されているガスバーナの位置、使用されているガスバーナの火力、などを特定する画像を表示装置９４に表示する。例えば、ガスバーナ５１〜５３の各々の火力が３段階（大火力、中火力、小火力）に調整可能であり、ガスバーナ５４Ａ，５４Ｂの各々の火力が２段階（大火力、小火力）に調整可能である場合において、右コンロ部４Ａ（コンロ右）のガスバーナ５１の火力が小火力、左コンロ部４Ｂ（コンロ左）のガスバーナ５２の火力が大火力、後コンロ部４Ｃ（コンロ後）のガスバーナ５３の火力が中火力、グリル３（グリルオーブン）のガスバーナ５４Ａ，５４Ｂの火力が小火力であるとき、上記「状態情報を含んだ端末宛情報」をガスコンロ１から無線送信する場合には、ガスバーナ５１〜５４の全てが点火中であることを特定する情報と、ガスバーナ５１が火力が小火力、ガスバーナ５２の火力が大火力、ガスバーナ５３の火力が中火力、ガスバーナ５４Ａ，５４Ｂの火力が小火力であることを特定する情報が状態情報に含まれる。このような場合において、端末側無線受信部（制御回路９１及び無線通信部９３）が「状態情報を含んだ端末宛情報」を受信した場合、制御回路９１（表示制御部）は、図９のように、右コンロ部４Ａ（コンロ右）におけるガスバーナ５１の火力の画像１３１を小火力に対応する画像（１本のラインによって火力を示す画像）とし、左コンロ部４Ｂ（コンロ左）におけるガスバーナ５２の火力の画像１３２を大火力に対応する画像（９本のラインによって火力を示す画像）とし、後コンロ部４Ｃ（コンロ後）におけるガスバーナ５３の火力の画像１３３を中火力に対応する画像（５本のラインによって火力を示す画像）とし、グリル３（グリルオーブン）におけるガスバーナ５４Ａ，５４Ｂの火力の画像１３４Ａ，１３４Ｂを小火力に対応する画像（１本のラインによって火力を示す画像）とするように表示装置９４に表示する。
【００６４】
ここで、本構成の効果を例示する。
ガスコンロシステム１００は、情報処理端末９０が音声による指示を検出し、その音声指示に応じた指示データを情報処理端末９０からガスコンロ１に無線通信によって与えることができる。よって、音声認識のための装置をガスコンロ１内に設けることを必須とすることなく、音声によってガスコンロ１を操作し得るシステムを実現できる。しかも、所定の情報送信条件が成立した場合には、ガスコンロ１から情報処理端末９０に対して、ガスコンロ１の状態を示す情報又は使用者に対する所定の確認情報の少なくともいずれかに対応する端末宛情報を無線送信することができる。そして、情報処理端末９０は、この端末宛情報を受信した場合に、ガスコンロ１の状態を示す情報又は所定の確認情報の少なくともいずれかを、表示又は音声の少なくともいずれかによって報知することができる。よって、情報処理端末９０の機能を利用してガスコンロ１に関する有用な情報をユーザに報知することができ、ガスコンロ１を顕著に高機能化せずともユーザの利便性を格段に高めることができる。
【００６５】
ガスコンロシステム１００は、表示部（表示装置９４）と、表示部の表示を制御する表示制御部（制御回路９１）と、を備える。そして、表示制御部は、所定の表示条件の成立に応じて、音声認識対象の言葉として予め定められた複数種類の候補語を表示部に表示するように機能する。音声指示検出部（マイク９６Ｂ、入力回路９６Ａ、制御回路９１）は、表示部に表示された複数の候補語のうち、いずれかの候補語を音声指示として検出するように機能し、端末側無線送信部（制御回路９１及び無線通信部９３）は、いずれかの候補語が音声指示検出部で検出された場合に、音声指示検出部で検出された候補語に対応する指示データを無線送信するように機能する。このようにすれば、ユーザは表示部に表示された複数種類の候補語を見た上で、候補語を選んで言葉として発することができる。表示部に表示される候補語は、音声認識対象の言葉として予め定められたものであるため、音声認識対象の言葉がどのような言葉であるかユーザが思い出しながら発したり、推測して発したりする事態が生じにくくなり、言い間違えなども生じにくくなる。ユーザは、表示部に表示されたいずれかの候補語を選んで言えば、音声認識対象の言葉が音声として正確に認識されやすくなる。
【００６６】
表示制御部（制御回路９１）は、所定の表示条件の成立に応じて複数種類の候補語を表示部（表示装置９４）に表示する場合、表示時点で選択可能な候補語を他の文字と異なる態様で表示する。このようにすれば、ユーザは、どのような言葉を音声によって選択できるのか視覚によって迅速に把握しやすくなる。
【００６７】
表示制御部（制御回路９１）は、いずれかの候補語が音声指示検出部（マイク９６Ｂ、入力回路９６Ａ、制御回路９１）で検出された場合に、音声指示検出部で検出された候補語を、他の候補語と区別して示す候補語特定画像を表示部（表示装置９４）に表示するように機能する。このようにすれば、ユーザが発声した候補語が検出された場合に、その候補語を他の候補語と区別して視覚的に伝えることができる。よって、ユーザは、自身が発声した音声が認識されたか否かをより確実に把握できるようになる。
【００６８】
コンロ側無線送信部（制御回路１０及び無線通信部２０）は、所定の情報送信条件が成立した場合に、ガスコンロ１の状態情報を含む端末宛情報を情報処理端末９０に無線送信するように機能し、表示制御部（制御回路９１）は、端末側無線受信部（制御回路９１及び無線通信部９３）が上記状態情報を含む端末宛情報を受信した場合に、上記状態情報によって特定されるガスコンロ１の状態の画像を表示部（表示装置９４）に表示するように機能する。このようにすれば、ガスコンロ１の状態を上記状態情報によって情報処理端末９０側に伝え、ガスコンロ１の状態を情報処理端末９０に表示される画像によってユーザに視認させることができる。このようにすれば、ユーザは、ガスコンロ１近傍でガスコンロ１を直接見るだけでなく、情報処理端末９０によってもガスコンロ１の状態を把握することができ、例えば、ガスコンロ１から離れた位置でガスコンロ１の状態を視覚的に認識することも可能となる。
【００６９】
上記状態情報は、使用されているガスバーナの位置及び使用されているガスバーナの火力を示す情報を含み、表示制御部（制御回路９１）は、端末側無線受信部（制御回路９１及び無線通信部９３）が上記状態情報を含む端末宛情報を受信した場合に、使用されているガスバーナの位置及び使用されているガスバーナの火力を特定する画像を表示部（表示装置９４）に表示するように機能する。このようにすれば、使用されているガスバーナの位置及び使用されているガスバーナの火力などの有用な情報を、情報処理端末９０によってユーザに知らしめることができる。
【００７０】
本構成では、コンロ側無線送信部（制御回路１０及び無線通信部２０）は、ガスコンロ１のいずれかのガスバーナが「点火中のガスバーナ」である場合において、当該「点火中のガスバーナ」の消火動作を行う前に所定の端末宛情報を情報処理端末９０に無線送信するように機能する。このような無線送信がなされると、端末側無線受信部（制御回路９１及び無線通信部９３）が上記所定の端末宛情報を受信する。そして、このように端末側無線受信部が上記所定の端末宛情報を受信すると、報知部（制御回路９１、表示装置９４、出力回路９７Ａ、スピーカ９７Ｂ）は、点火中のガスバーナの点火延長を問い合わせる情報を所定の確認情報として報知する。そして、「ガスバーナ５１の点火延長を問い合わせる情報」を報知部が報知した後、音声指示検出部（マイク９６Ｂ、入力回路９６Ａ、制御回路９１）が音声による「所定の延長指示」を検出した場合に、端末側無線送信部（制御回路９１及び無線通信部９３）は、「所定の延長指示に対応する指示データ」を無線送信し、このように無線送信された「所定の延長指示に対応する指示データ」をコンロ側無線受信部（制御回路１０及び無線通信部２０）が受信した場合に、動作制御部（制御回路１０）は、対象となっている上記「点火中のガスバーナ」の点火を延長する。
例えば、右コンロ部４Ａ（コンロ右）のガスバーナ５１の点火中にガスバーナ５１を消火する所定条件が成立した場合又はガスバーナ５１を消火する所定条件の成立時期が近づいた場合に、コンロ側無線送信部（制御回路１０及び無線通信部２０）が情報処理端末９０に向けて所定の問い合わせコマンドを含んだ端末宛情報を無線送信する。
「ガスバーナ５１を消火する所定条件が成立した場合」は、ガスバーナ５１の消火タイミングを自動で決定する自動プログラムが動作する場合において、その自動プログラムで定められたガスバーナ５１の消火条件が成立した場合が挙げられる。例えば、ガスバーナ５１の動作時間（点火継続時間）を所定の開始タイミング（点火開始タイミングやタイマー操作の設定タイミングなど）から設定された時間が経過するタイミングまでの所定時間に定めるような自動プログラムが動作する場合において、上記所定時間が経過した場合であってもよい。或いは、ガスバーナ５１に対応するサーミスタ５１Ｃの温度が予め定められた閾値温度に達した場合にガスバーナ５１を消火する自動プログラムが動作する場合において、サーミスタ５１Ｃの温度が上記閾値温度に達した場合などであってもよい。「ガスバーナ５１を消火する所定条件の成立時期が近づいた場合」は、ガスバーナ５１の消火タイミングを自動で決定する自動プログラムが動作する場合において、その自動プログラムで定められたガスバーナ５１の消火条件が成立する前段階の所定条件が成立したタイミングが挙げられる。例えば、ガスバーナ５１の動作時間（点火継続時間）を所定の開始タイミング（点火開始タイミングやタイマー操作の設定タイミングなど）から設定された時間が経過するタイミングまでの所定時間に定めるような自動プログラムが動作する場合において、上記所定時間が経過するタイミングよりも一定時間前のタイミングに達した場合であってもよい。或いは、ガスバーナ５１に対応するサーミスタ５１Ｃの温度が予め定められた閾値温度に達した場合にガスバーナ５１を消火する自動プログラムが動作する場合において、サーミスタ５１Ｃの温度が上記閾値温度よりも少し低い所定温度に達した場合などであってもよい。
コンロ側無線送信部（制御回路１０及び無線通信部２０）は、右コンロ部４Ａ（コンロ右）のガスバーナ５１の点火中に上記「ガスバーナ５１を消火する所定条件が成立した場合」又は上記「ガスバーナ５１を消火する所定条件の成立時期が近づいた場合」に所定の端末宛情報を情報処理端末９０に無線送信する。このような無線送信がなされると、端末側無線受信部（制御回路９１及び無線通信部９３）が上記所定の端末宛情報を受信する。この場合の「所定の端末宛情報」は、予め定められた特定のコマンドを含んだ情報であって且つ制御回路９１が特定のコマンドを認識できる情報であればよく、より望ましくは、消火されようとする上記点火中のガスバーナを特定する情報を含んでいればよい。
そして、このような特定コマンドを含んだ端末宛情報を端末側無線受信部が受信すると、報知部（制御回路９１、表示装置９４、出力回路９７Ａ、スピーカ９７Ｂ）は、点火中のガスバーナ（ガスバーナ５１）の点火延長を問い合わせる情報を所定の確認情報として報知する。「点火中のガスバーナ（ガスバーナ５１）の点火延長を問い合わせる情報」としては、例えば、「右コンロがもうすぐ自動消火します。消火してよろしいでしょうか」などのメッセージや「右コンロの点火を延長しますか」などのメッセージが挙げられる。或いは、単に「点火を延長しますか」などのメッセージであってもよい。このようなメッセージはスピーカ９７Ｂから音声によって報知してもよく、表示装置９４にて画像によって報知してもよく、音声と画像の両方によって報知してもよい。また、「音声による所定の延長指示」としては、「右コンロがもうすぐ自動消火します。消火してよろしいでしょうか」などのメッセージを用いる場合には、「いいえ」「ＮＯ」「点火延長」などの、点火の延長を指示する言葉を発する音声指示が挙げられる。また、「右コンロの点火を延長しますか」などのメッセージを用いる場合には、「はい」「ＹＥＳ」「点火延長」などの、点火の延長を指示する言葉を発する音声指示が挙げられる。
端末側無線送信部（制御回路９１及び無線通信部９３）は、ガスバーナ（ガスバーナ５１）の点火延長を問い合わせる情報を報知部が報知した後、音声指示検出部（マイク９６Ｂ、入力回路９６Ａ、制御回路９１）が音声による所定の延長指示を検出した場合に、所定の延長指示に対応する指示データを無線送信する。具体的には、ガスバーナ（ガスバーナ５１）の点火延長を問い合わせる情報を報知部が報知してから一定時間内に上記「点火の延長を指示する言葉」の音声がマイク９６Ｂに入力された場合、端末側無線送信部（制御回路９１及び無線通信部９３）が「所定の延長指示に対応する指示データ」をガスコンロ１に向けて無線送信する。「所定の延長指示に対応する指示データ」は、音声指示検出部が上記「点火の延長を指示する言葉」を検出したことを条件として情報処理端末９０からガスコンロ１に対して無線送信される特定の指示データであり、対象となっているガスバーナ（自動プログラムで消火されようとしているガスバーナ５１）の点火の延長を指示する指示データである。このように「所定の延長指示に対応する指示データ」が無線送信されると、コンロ側無線受信部（制御回路１０及び無線通信部２０）はその指示データを受信し、コンロ側無線受信部が「所定の延長指示に対応する指示データ」を受信したことに応じて、ガスコンロ１の動作制御部（制御回路１０）は、対象となっているガスバーナ（自動プログラムで消火されようとしているガスバーナ５１）の点火を延長する。動作制御部（制御回路１０）は、対象となっているガスバーナ（消火されようとしているガスバーナ５１）の点火を延長する場合、予め定められた一定時間だけ延長してもよく、ユーザによる消火操作がなされるまで期間を決めずに延長してもよい。
以上のような特徴を採用すれば、ガスコンロ１において自動プログラムに従った消火動作を行う前に、点火延長をユーザに問い合わせることができる。ユーザは、問い合わせの時点で消火動作ではなく点火の延長を望む場合には、音声による所定指示を行えばよく、このようにすれば、その所定指示を認識させて点火を延長することができる。よって、その時点では、消火動作を望まないのに、意図に反して消火がなされてしまい、その消火に気付かないまま放置されてしまうような事態や、或いは、消火に気付いて手作業等によって点火動作を再度行ったりするような事態を回避しやすくなる。
【００７１】
本構成では、コンロ側無線送信部（制御回路１０及び無線通信部２０）は、コンロ側無線受信部（制御回路１０及び無線通信部２０）が受信した指示データがいずれかの電気部品を変更対象として所定の変更動作を指示するデータである場合に、所定の端末宛情報を情報処理端末９０に無線送信する。そして、報知部（制御回路９１、表示装置９４、出力回路９７Ａ、スピーカ９７Ｂ）は、端末側無線受信部（制御回路９１及び無線通信部９３）が上記端末宛情報を受信した場合に、所定の確認情報として「所定の変更動作を実行するか否かを問い合わせる情報」を報知する。そして、端末側無線送信部（制御回路９１及び無線通信部９３）は、「所定の変更動作を実行するか否かを問い合わせる情報」を報知部が報知した後、音声指示検出部（マイク９６Ｂ、入力回路９６Ａ、制御回路９１）が音声による所定の変更指示を検出した場合に、「所定の変更指示に対応する指示データ」を無線送信し、動作制御部（制御回路１０）は、コンロ側無線受信部（制御回路１０及び無線通信部２０）が「所定の変更指示に対応する指示データ」を受信した場合に、上記変更対象に所定の変更動作を行わせる。
このようにすれば、ユーザは音声によって電気部品の変更動作を指示することができるようになる。但し、このように音声指示によって電気部品の変更動作を指示できるようにすると、雑音や言い間違えなどによって使用者の本来の意図に反して電気部品の変更動作が指示されてしまう虞もあるが、上記構成によれば、音声指示に応じた変更動作を行う前に、その変更動作を実行するか否かを問い合わせることができる。そして、その問い合わせに対して所定の変更指示がなされた場合に、変更動作を実行するように機能させることができる。このようにすれば、雑音や言い間違えなどによって使用者の意図に反した変更動作がなされてしまうことを防ぎやすくなる。
【００７２】
上述したように、本構成において、動作制御部（制御回路１０）は、コンロ側無線受信部（制御回路１０及び無線通信部２０）が受信した指示データが、いずれかの電気部品を変更対象として所定の変更動作を指示するデータである場合に、所定条件の成立に応じて、その変更対象に所定の変更動作を行わせるように機能する。このように動作制御部（制御回路１０）が変更対象に所定の変更動作を行わせる場合において変更動作の開始前又は開始後には、コンロ側無線送信部（制御回路１０及び無線通信部２０）は、所定の端末宛情報を情報処理端末９０に無線送信するように機能してもよい。そして、端末側無線受信部（制御回路９１及び無線通信部９３）が上記所定の端末宛情報を受信した場合に、報知部（制御回路９１、表示装置９４、出力回路９７Ａ、スピーカ９７Ｂ）は、「所定の変更動作が正しいか否かを問い合わせる情報」又は「所定の変更動作がなされたことを伝える情報」の少なくともいずれかを所定の確認情報として所定の終了条件が成立するまで繰り返し報知してもよい。
例えば、上述した例では、コンロ右（右コンロ部４Ａ）を対象として図６の処理を行う場合においてコンロ右（右コンロ部４Ａ）が小火力のときに図６のステップＳ１５の処理を行う場合、端末側無線送信部（制御回路９１及び無線通信部９３）は、コンロ右（右コンロ部４Ａ）の火力を「大」にすることを指示する指示データをガスコンロ１に無線送信し、コンロ側無線受信部（制御回路１０及び無線通信部２０）は、端末側無線送信部から無線送信された指示データ（右コンロ部４Ａを変更対象として右コンロ部４Ａの火力を「大」に変更することを指示する指示データ）を受信する。そして、このようにコンロ側無線受信部が当該指示データ（右コンロ部４Ａの火力を「大」に変更することを指示する指示データ）を受信した場合、動作制御部（制御回路１０）は、その指示データに従った変更動作、即ち、上記変更対象である右コンロ部４Ａの火力を変更前の小火力から大火力に変更する動作を行わせる。
そして、変更対象である右コンロ部４Ａに対し、火力を小火力から大火力に変更する変更動作を行った場合、コンロ側無線送信部（制御回路１０及び無線通信部２０）は、所定の端末宛情報を情報処理端末９０に無線送信してもよい。この場合の「所定の端末宛情報」は、予め定められた特定のコマンドを含んだ情報であって且つ制御回路９１が特定のコマンドを認識できる情報であればよく、望ましくは、上記変更対象を特定する情報と上記変更動作の内容とを含んだ情報とすればよい。例えば、「上記変更対象についての上記変更動作が正しいか否かを問い合わせること指示する指示情報」や「上記変更対象について上記変更動作がなされたことを伝えることを指示する指示情報」などを含んだ情報とすればよい。
そして、このようにコンロ側無線送信部から送信された「所定の端末宛情報」を端末側無線受信部（制御回路９１及び無線通信部９３）が受信した場合、報知部（制御回路９１、表示装置９４、出力回路９７Ａ、スピーカ９７Ｂ）は、「所定の確認情報」として「変更対象（右コンロ部４Ａ）についてなされた変更動作（大火力に変更する動作）が正しいか否かを問い合わせる情報」又は「変更対象（右コンロ部４Ａ）について変更動作（大火力に変更する動作）がなされたことを伝える情報」を所定の終了条件が成立するまで繰り返し報知する。この場合、「変更対象（右コンロ部４Ａ）についてなされた変更動作（大火力に変更する動作）が正しいか否かを問い合わせる情報」は、「右コンロの火力は大火力です。正しいでしょうか」といったメッセージや、「右コンロの火力が大火力に変更されました。正しいでしょうか」といったメッセージなどが挙げられる。或いは、単に「火力が大火力に変更されました。正しいでしょうか」といったメッセージや「変更動作が行われました。正しいでしょうか」といったメッセージなどであってもよい。また、「変更対象（右コンロ部４Ａ）について変更動作（大火力に変更する動作）がなされたことを伝える情報」は、「右コンロの火力が大火力に変更されました。確認してください」といったメッセージや「右コンロの火力が大火力に変更されました」といったメッセージなどが挙げられる。或いは、単に「火力が大火力に変更されました」といったメッセージや「変更動作が行われました」といったメッセージを伝えてもよい。このメッセージはスピーカ９７Ｂから音声によって報知してもよく、表示装置９４にて画像によって報知してもよく、音声と画像の両方によって報知してもよい。上記メッセージを繰り返し報知する場合、一定時間毎に報知を繰り返してもよく、それ以外の所定条件が成立する毎に報知を行うように報知を繰り返してもよい。また、報知の終了の条件となる「所定の終了条件」は、「音声指示検出部が音声による所定の返答を検出すること」などが挙げられ、「所定の返答」としては、「Ｙｅｓ」「はい」「正しい」「ＯＫ」などの音声返答が挙げられる。つまり、「所定の端末宛情報」を端末側無線受信部が受信することに応じて報知部が所定の確認情報（「変更対象（右コンロ部４Ａ）についてなされた変更動作（大火力に変更する動作）が正しいか否かを問い合わせる情報」又は「変更対象（右コンロ部４Ａ）について変更動作（大火力に変更する動作）がなされたことを伝える情報」）を繰り返し報知する場合、その繰り返しの報知がなされる期間においてマイク９６Ｂに上記所定の返答の音声（「Ｙｅｓ」「はい」「正しい」「ＯＫ」などの音声）が入力された場合に繰り返しの報知を終了する。なお、このような繰り返しの報知を行う場合、繰り返しの報知が開始されてから所定時間が経過した場合にも繰り返しの報知を終了するように終了条件を付加してもよく、繰り返しの報知の報知回数が一定回数に達した場合にも繰り返しの報知を終了するように終了条件を付加してもよい。
本構成では、ユーザが音声によって電気部品の変更動作を指示することができるが、音声指示によって電気部品の変更動作を指示できるようにすると、雑音や言い間違えなどによって使用者の意図に反して電気部品の変更動作が指示されてしまう虞がある。しかし、上記構成によれば、変更動作が行われる場合に、その変更動作が正しいか否かを問い合わせる情報又は変更動作がなされたことを伝える情報の少なくともいずれかを所定の確認情報として所定の終了条件が成立するまで繰り返し報知することができる。このような報知が繰り返されれば、万が一使用者の意図に反して電気部品の変更動作がなされたとしても使用者はその状態に気付くことができ、使用者が意図しない変更動作が継続してしまうことを防止し得る。一方で、使用者は、変更動作が意図する動作であった場合、音声によって所定の返答を行えば報知の繰り返しを容易に終了させることができる。
【００７３】
＜他の実施例＞
本発明は上記記述及び図面によって説明した実施例に限定されるものではなく、例えば次のような例も本発明の技術的範囲に含まれる。
【００７４】
上記実施例では、ガスコンロの例としてビルトインコンロを例示したが、テーブルコンロであってもよい。
【００７５】
上記実施例では、ガスバーナ５１，５２，５３，５４が設けられたガスコンロ１を例示したが、ガスバーナの数はこれよりも多くても少なくてもよい。例えば、１つのガスバーナのみが設けられ、１つのイグナイタのみが設けられるようなガスコンロなどであってもよい。
【００７６】
上記実施例では、いずれかの電気部品を変更対象として所定の変更動作を行う場合に、「所定の変更動作を実行するか否かを問い合わせる情報」を報知するようにしているが、変更動作が消火や火力を弱める場合などの「緊急性を有する可能性がある所定動作」の場合に、このような報知を行わないようにしてもよい。
【００７７】
上記実施例では、制御対象となる電気部品としてコンロ右（右コンロ部４Ａ）、コンロ左（左コンロ部４Ｂ）、コンロ後（後コンロ部４Ｃ）、グリルオーブン（グリル３）を例示したが、ガスコンロを構成する一部要素であり且つ電気的な制御が可能な部品であればこれらの例に限定されない。例えば、ブザー装置１２や音声装置１４が変更対象となる電気部品であってもよく、イグナイタ２６Ａ，２６Ｂ，２６Ｃ，２６Ｄが変更対象となる電気部品であってもよい。
【００７８】
上記実施例では、使用されているガスバーナの位置及び使用されているガスバーナの火力を特定する画像の一例を示したが、使用されているガスバーナの位置及び使用されているガスバーナの火力を特定し得る画像であれば、この例に限定されない。例えば、「右コンロ、左コンロ、後コンロ、グリルオーブンが点火中です」といった情報や、「右コンロが点火中です。左コンロ、後コンロ、グリルオーブンは消火中です。」といった情報のように、使用されているガスバーナの位置を伝える文字情報が含まれていてもよい。或いは、「右コンロ−小火力、左コンロ−大火力、後コンロ−中火力、グリルオーブン−消火状態」といった情報のように、各々のガスバーナの火力を特定し得る文字情報が含まれていてもよい。
【符号の説明】
【００７９】
１…ガスコンロ
１０…制御回路（動作制御部、コンロ側無線受信部、コンロ側無線送信部、）
１２…ブザー装置（電気部品）
１４…音声装置（電気部品）
２０…無線通信部（コンロ側無線受信部、コンロ側無線送信部）
２６Ａ，２６Ｂ，２６Ｃ，２６Ｄ…イグナイタ（電気部品）
５１，５２，５３，５４…ガスバーナ
９０…情報処理端末
９１…制御回路（音声指示検出部、端末側無線送信部、端末側無線受信部、表示制御部、報知部）
９３…無線通信部（端末側無線送信部、端末側無線受信部）
９４…表示装置（表示部、報知部）
９６Ａ…入力回路（音声指示検出部）
９６Ｂ…マイク（音声指示検出部）
９７Ａ…出力回路（報知部）
９７Ｂ…スピーカ（報知部）
１００…ガスコンロシステム
Ｍ１，Ｍ２，Ｍ３，Ｍ４…モータ（電気部品）
【図１】
2020041721.tif 000003
【図２】
2020041721.tif 000004
【図３】
2020041721.tif 000005
【図４】
2020041721.tif 000006
【図５】
2020041721.tif 000007
【図６】
2020041721.tif 000008
【図７】
2020041721.tif 000009
【図８】
2020041721.tif 000010
【図９】
2020041721.tif 000011
【図１０】
2020041721.tif 000012
【図１１】
2020041721.tif 000013
【図１２】
2020041721.tif 000014